(57)【要約】【課題】  ユーザの参照頻度が高い情報を、更により多くのユーザの目に触れるように情報の分類構造の更新を支援するためのプログラム、情報分類構造編集支援方法及び情報分類構造編集支援装置を提供する。【解決手段】  ユーザが、文書管理装置２２から文書データベース１８中の文書情報にアクセスして参照すると、参照履歴格納部１０にユーザの当該文書情報に対する参照履歴情報が格納される。参照履歴解析部１４は、参照履歴情報を解析して所定時間内の参照頻度を算出し、この参照頻度が所定の閾値を超える文書情報を選択する。分類体系編集部１６では、上記参照履歴情報の解析結果に基づいて、分類構造格納部１２により保持されている文書情報の分類構造情報を更新するための編集情報をユーザに提示し、ユーザが当該更新を承認すると、分類体系編集部１６が文書情報の分類構造情報を更新する。【選択図】        図１
2006092214.tif 000002
【特許請求の範囲】
【請求項１】
コンピュータを、文書情報を階層的に分類して表示するための分類構造の編集を支援する情報分類構造編集支援装置として動作させるプログラムであって、
前記文書情報に対する参照頻度を含む参照履歴情報を保持し、
前記文書情報の階層的な分類構造情報を保持し、
前記保持された参照履歴情報を解析し、参照頻度が所定の閾値を超える文書情報を選択し、
前記参照履歴情報の解析結果に基づき、前記保持された分類構造情報を更新するための編集情報をユーザに提示する処理をコンピュータに実行させることを特徴とするプログラム。
【請求項２】
請求項１記載のプログラムにおいて、前記編集情報は、前記参照頻度が所定の閾値を超える文書情報を自己または下位に含む分類項目を、当該文書情報を含む分類項目と共通属性を有する他の分類項目の下位に追加する処理を内容とすることを特徴とするプログラム。
【請求項３】
請求項１記載のプログラムにおいて、前記編集情報は、前記参照頻度が所定の閾値を超える文書情報を含む分類項目の上位の分類項目が他の分類項目と共通属性を有する場合に、前記上位の分類項目の更に上位の分類項目を、前記他の分類項目の下位に、前記上位の分類項目を除いて追加する処理を内容とすることを特徴とするプログラム。
【請求項４】
請求項１記載のプログラムにおいて、前記編集情報は、前記参照頻度が所定の閾値を超える文書情報を自己または下位に含む分類項目を、当該文書情報を含む分類項目の上位の分類項目と共通属性を有する他の分類項目の下位に追加する処理を内容とすることを特徴とするプログラム。
【請求項５】
コンピュータにより、文書情報を階層的に分類して表示するための分類構造の編集を支援する情報分類構造編集支援方法であって、
前記文書情報に対する参照頻度を含む参照履歴情報を保持するステップと、
前記文書情報の階層的な分類構造情報を保持するステップと、
前記保持された参照履歴情報を解析し、参照頻度が所定の閾値を超える文書情報を選択するステップと、
前記参照履歴情報の解析結果に基づき、前記保持された分類構造情報を変更するための編集情報をユーザに提示するステップと
を備えることを特徴とする情報分類構造編集支援方法。
【請求項６】
文書情報を階層的に分類して表示するための分類構造の編集を支援する情報分類構造編集支援装置であって、
前記文書情報に対する参照頻度を含む参照履歴情報を保持する参照履歴格納手段と、
前記文書情報の階層的な分類構造情報を保持する分類構造格納手段と、
前記参照履歴格納手段に保持された参照履歴情報を解析し、参照頻度が所定の閾値を超える文書情報を選択する参照履歴解析手段と、
前記参照履歴解析手段の解析結果に基づき、前記分類構造格納手段に保持された分類構造情報を変更するための編集情報をユーザに提示する分類体系編集手段と、
を備えることを特徴とする情報分類構造編集支援装置。
【発明の詳細な説明】
【技術分野】
【０００１】
本発明は、文書構造を階層的に分類して表示するための分類構造の編集を支援するためのプログラム、情報分類構造編集支援方法及び情報分類構造編集支援装置に関する。
【背景技術】
【０００２】
近年、Ｗｏｒｌｄ  Ｗｉｄｅ  Ｗｅｂ（以下Ｗｅｂと略す。）において情報提供を行う需要が増大しており、例えばＷｅｂサイトによる製品の広告活動、あるいは電子商取引等による物品、サービスの売買が盛んに行われてきている。このような状況においては、Ｗｅｂサイトにアクセスしてきたユーザの動向を知り、ユーザ動向に応じて提供すべき情報の構造を速やかに変更していくための技術が必要となる。
【０００３】
例えば、下記特許文献１には、ユーザのアクセス傾向と、コンテンツ（Ｗｅｂサイトで公開されている情報）の分布傾向間の類似度から、ユーザの動向を把握し、ユーザの動向にあわせたＷｅｂサイトのコンテンツの変更を支援するハイパーテキスト構造変更支援装置が開示されている。
【特許文献１】特開２０００−１７２６９９号公報
【発明の開示】
【発明が解決しようとする課題】
【０００４】
しかし、上記従来の技術においては、ユーザのアクセス傾向を分析し、利用頻度の低い情報の利用頻度を如何に高くするかという観点から問題点を検出し、コンテンツの作成を見直すための技術であって、もともと利用頻度が高く、有益と判断できる情報を、更により多くのユーザにアクセスしてもらうための技術ではなかった。
【０００５】
本発明は、上記従来の課題に鑑みなされたものであり、その目的は、ユーザの参照頻度が高い情報を、更により多くのユーザの目に触れるように情報の分類構造の更新を支援するためのプログラム、情報分類構造編集支援方法及び情報分類構造編集支援装置を提供することにある。
【課題を解決するための手段】
【０００６】
上記目的を達成するために、本発明は、コンピュータを、文書情報を階層的に分類して表示するための分類構造の編集を支援する情報分類構造編集支援装置として動作させるプログラムであって、前記文書情報に対する参照頻度を含む参照履歴情報を保持し、前記文書情報の階層的な分類構造情報を保持し、前記保持された参照履歴情報を解析し、参照頻度が所定の閾値を超える文書情報を選択し、前記参照履歴情報の解析結果に基づき、前記保持された分類構造情報を更新するための編集情報をユーザに提示する処理をコンピュータに実行させることを特徴とする。
【０００７】
ここで、上記編集情報は、前記参照頻度が所定の閾値を超える文書情報を自己または下位に含む分類項目を、当該文書情報を含む分類項目と共通属性を有する他の分類項目の下位に追加する処理を内容とするのが好適である。
【０００８】
また、上記編集情報は、前記参照頻度が所定の閾値を超える文書情報を含む分類項目の上位の分類項目が他の分類項目と共通属性を有する場合に、前記上位の分類項目の更に上位の分類項目を、前記他の分類項目の下位に、前記上位の分類項目を除いて追加する処理を内容とするのが好適である。
【０００９】
また、上記編集情報は、前記参照頻度が所定の閾値を超える文書情報を自己または下位に含む分類項目を、当該文書情報を含む分類項目の上位の分類項目と共通属性を有する他の分類項目の下位に追加する処理を内容とするのが好適である。
【００１０】
また、本発明は、コンピュータにより、文書情報を階層的に分類して表示するための分類構造の編集を支援する情報分類構造編集支援方法であって、前記文書情報に対する参照頻度を含む参照履歴情報を保持するステップと、前記文書情報の階層的な分類構造情報を保持するステップと、前記保持された参照履歴情報を解析し、参照頻度が所定の閾値を超える文書情報を選択するステップと、前記参照履歴情報の解析結果に基づき、前記保持された分類構造情報を変更するための編集情報をユーザに提示するステップとを備えることを特徴とする。
【００１１】
また、本発明は、文書情報を階層的に分類して表示するための分類構造の編集を支援する情報分類構造編集支援装置であって、前記文書情報に対する参照頻度を含む参照履歴情報を保持する参照履歴格納手段と、前記文書情報の階層的な分類構造情報を保持する分類構造格納手段と、前記参照履歴格納手段に保持された参照履歴情報を解析し、参照頻度が所定の閾値を超える文書情報を選択する参照履歴解析手段と、前記参照履歴解析手段の解析結果に基づき、前記分類構造格納手段に保持された分類構造情報を変更するための編集情報をユーザに提示する分類体系編集手段と、を備えることを特徴とする。
【発明を実施するための最良の形態】
【００１２】
以下、本発明を実施するための最良の形態（以下、実施形態という）を、図面に従って説明する。
【００１３】
図１には、本発明に係る情報分類構造編集支援装置の構成のブロック図が示される。図１の情報分類構造編集支援装置は、参照履歴格納部１０、分類構造格納部１２、参照履歴解析部１４、分類体系編集部１６、文書データベース１８及び表示部２０を含む。
【００１４】
ユーザは、パーソナルコンピュータ、Ｗｅｂサーバ等の文書管理装置２２から、文書データベース１８に格納された文書情報にアクセスし、所望の文書情報を参照する。文書データベース１８では、文書情報が階層的に分類されて格納されている。
【００１５】
ユーザが、文書管理装置２２から文書データベース１８中の文書情報にアクセスして参照すると、参照履歴格納部１０にユーザの当該文書情報に対する参照履歴情報が格納される。
【００１６】
図２には、上記参照履歴情報の例が示される。図２において、ユーザが文書情報を参照した日付及び時刻とともに、当該ユーザを識別するためのユーザＩＤ及び参照した文書を識別するための文書ＩＤが記録されている。
【００１７】
また、文書データベース１８における文書情報の階層的な分類構造に関する情報は、分類構造格納部１２に保持されている。
【００１８】
参照履歴解析部１４では、図２に示された参照履歴情報を解析して所定時間内、例えば１週間あるいは１ヶ月の間の参照頻度を算出し、この参照頻度が所定の閾値を超える文書情報を選択する。
【００１９】
上述した参照履歴解析部１４による参照頻度の解析結果は、分類体系編集部１６に渡される。分類体系編集部１６では、上記参照履歴情報の解析結果に基づいて、分類構造格納部１２により保持されている文書情報の分類構造情報を更新するための編集情報を、分類構造情報を管理するユーザに提示する。この分類構造情報の更新は、例えば、参照頻度が所定の閾値を超える文書情報を含む分類構造上の分類項目を、他のパスの中にある所定の分類項目の下に追加する等の情報である。
【００２０】
上記編集情報を提示された分類構造情報を管理するユーザが、当該編集情報に基づく分類構造情報の更新を承認した場合すなわち承認を意味する所定の入力を本実施形態の情報分類構造編集支援装置に行った場合には、分類体系編集部１６が分類構造格納部１２に格納されている文書情報の分類構造情報を上記編集情報に基づいて更新する。
【００２１】
図３には、上述した文書情報の階層的な分類構造の例が示される。この分類構造を構成するための分類構造情報は、分類構造格納部１２に保持されている。また図３には、分類構造を構成する階層的なディレクトリの分類構造表も示されており、図２で述べた文書ＩＤがＩＤとして示され、それぞれの分類カテゴリ属性及び表示名が、各ディレクトリの上位の分類項目のＩＤ（親ＩＤ）とともに示されている。なお、これらの表示は表示部２０で実行される。
【００２２】
図３において、参照履歴解析部１４が、図２に示されたような参照履歴格納部１０に保持された参照履歴情報を解析した結果、表示名「ニュース」の下位の分類項目である表示名「コンピュータ関連」に含まれる文書情報の参照頻度が高い（所定の閾値を超えた）と判断した場合に、この解析結果が分類体系編集部１６に渡される。分類体系編集部１６では、分類構造格納部１２に格納された文書情報の分類構造に基づき、参照頻度が高い文書情報を含む表示名「コンピュータ関連」の分類カテゴリ属性である「コンピュータ」と同一の分類カテゴリ属性を有する分類項目を検索する。
【００２３】
図３に示された例では、分類カテゴリ属性「コンピュータ」を有する分類項目は、表示名「コンピュータ関連」の他に表示名「パソコン」があるので、これが検出される。このとき分類体系編集部１６は、図４に示されるように、表示部２０に所定の情報提示画面２４を表示し、分類構造情報を管理するユーザに対して、参照頻度が高い表示名「コンピュータ関連」の上位の分類項目である表示名「ニュース」を、分類カテゴリの属性が表示名「コンピュータ関連」と共通する分類項目である表示名「パソコン」の下位に追加する処理を提示する。
【００２４】
また、分類カテゴリの属性が表示名「コンピュータ関連」と共通する分類項目が表示名「パソコン」以外にもある場合には、その分類項目の下位にも同様に分類項目を追加する処理を提示するのが好適である。
【００２５】
上記編集情報を提示された分類構造情報を管理するユーザが、分類構造情報の更新を承認すると、図５に示されるように、表示名「パソコン」の下位に表示名「ニュース」の分類項目を追加する処理を分類体系編集部１６が実行する。この場合、分類構造格納部１２に保持された分類構造情報には、図５の分類構造表に示されるように、分類カテゴリ属性がニュースの分類項目である表示名「ニュース」が追加される。
【００２６】
この場合表示名「ニュース」の分類項目には、表示名「コンピュータ関連」に割り付けられた文書情報のみが割り付けられる。また、新たに追加された表示名「ニュース」の分類項目のディレクトリは、上記文書情報へのショートカットとするのが好適である。
【００２７】
以上のようにして、新しい分類項目を追加することにより、ユーザによる参照頻度が高い文書情報を「買う→パソコン」のパスを辿ったユーザの目にも触れされることができるので、より多くのユーザに有用な文書情報を知らせることが可能となる。
【００２８】
なお、表示名「パソコン」の下位に追加した表示名「ニュース」は、その表示名を例えば「コンピュータ関連ニュース」等と、ユーザに広く知らせるために、より内容を具体的に表す表示名にユーザが適宜変更できるように構成するのも好適である。
【００２９】
図６には、本発明の情報分類構造編集支援装置の他の実施形態に係る動作の説明図が示される。図６において、表示名「コンピュータ関連」の分類項目の下位に更に表示名「新製品」及び「セキュリティ」が設けられている場合に、参照履歴解析部１４が参照履歴格納部１０に格納されて参照情報を解析した結果、例えば表示名「セキュリティ」に含まれる文書情報の参照頻度が所定の閾値を超えて高かったときには、この解析結果が分類体系編集部１６に渡される。そこで、分類体系編集部１６では、前述した図３の実施形態の場合と同様に、表示名「セキュリティ」の分類カテゴリ属性「コンピュータセキュリティ」と同一の分類カテゴリ属性を有する分類項目を検索する。しかし、この分類カテゴリ属性を有する分類項目は存在しないので、分類体系編集部１６では、表示名「セキュリティ」の上位の分類項目である表示名「コンピュータ関連」の分類カテゴリ属性を参照し、この分類カテゴリの属性である「コンピュータ」と同一の分類カテゴリ属性を有する分類項目を検索する。このとき、図３と同様に、表示名「パソコン」の分類カテゴリ属性が「コンピュータ」で一致するので、図７に示されるように、表示部２０に所定の情報提示画面２４を表示し、表示名「セキュリティ」の上位の分類項目である表示名「コンピュータ関連」の更に上位の分類項目の「ニュース」を、表示名「パソコン」の下位に追加する編集情報を提示する。
【００３０】
文書情報の分類構造情報の管理者であるユーザが上記追加を承認すると、分類体系編集部１６が、表示名「パソコン」の下位に表示名「ニュース」の分類項目を追加する。この場合、表示名「ニュース」の分類項目には、表示名「セキュリティ」の分類項目の他に、表示名「新製品」の分類項目も追加される。なお、この場合、表示名「セキュリティ」の上位の分類項目である表示名「コンピュータ関連」の分類項目を除いて追加する処理を行うのが、情報検索の簡略化の点で好適である。このとき、表示名「買う」以降の分類構造は、「買う」→「パソコン」→「ニュース」→「新製品」，「セキュリティ」となる。これにより、ユーザの参照頻度が高い情報と同一の分類カテゴリ属性を有する分類項目がない場合にも、当該参照頻度の高い文書情報の存在を多くのユーザに知らせることができる。
【００３１】
以上に述べた実施形態においては、ユーザの参照頻度が高かった表示名「セキュリティ」そのものを表示名「パソコン」の下位に追加するのも好適である。この場合には、図８に示すような情報提示画面２４を表示部２０に表示し、文書情報の分類構造情報の管理者であるユーザに編集情報を提示する。このとき、表示名「買う」以降の分類構造は、「買う」→「パソコン」→「セキュリティ」となる。
【図面の簡単な説明】
【００３２】
【図１】本発明に係る情報分類構造編集支援装置の構成のブロック図である。
【図２】参照履歴情報の例を示す図である。
【図３】文書情報の階層的な分類構造の例を示す図である。
【図４】分類構造情報を更新するための編集情報をユーザに提示する動作の説明図である。
【図５】分類構造情報を更新する動作の説明図である。
【図６】文書情報の階層的な分類構造の例を示す図である。
【図７】分類構造情報を更新するための編集情報をユーザに提示する動作の説明図である。
【図８】分類構造情報を更新するための編集情報をユーザに提示する動作の説明図である。
【符号の説明】
【００３３】
１０  参照履歴格納部、１２  分類構造格納部、１４  参照履歴解析部、１６  分類体系編集部、２０  表示部、２２  文書管理装置、２４  情報提示画面。
【図１】
2006092214.tif 000003
【図２】
2006092214.tif 000004
【図３】
2006092214.tif 000005
【図４】
2006092214.tif 000006
【図５】
2006092214.tif 000007
【図６】
2006092214.tif 000008
【図７】
2006092214.tif 000009
【図８】
2006092214.tif 000010